(57)【要約】【課題】製造コストを上昇させることなく、飲料の漏れ出しを確実に防止できると共に、飲料の流量の調整もすることができる飲料容器を提供する。【解決手段】飲料を収容するための容器本体２と、容器本体内の飲料を容器本体から排出させるための開口部３ｂと、開口部を開閉可能にするための開閉部６と、少なくとも、開口部及び開閉部を覆うことができる蓋部４と、を備え、開閉部は、開口部との相対位置を変化させて、開口部を閉状態乃至開状態にする構成となっており、蓋部には、開閉部が開状態の位置に配置されているときに、開口部及び開閉部の被覆を阻害する阻害部４ｂが形成されている。【選択図】図５
2012164614.tif 000002
【特許請求の範囲】
【請求項１】
飲料を収容するための容器本体と、
前記容器本体内の飲料を前記容器本体から排出させるための開口部と、
前記開口部を開閉可能にするための開閉部と、
少なくとも、前記開口部及び前記開閉部を覆うことができる蓋部と、を備え、
前記開閉部は、前記開口部との相対位置を変化させて、前記開口部を閉状態乃至開状態にする構成となっており、
前記蓋部には、前記開閉部が前記開状態の位置に配置されているときに、前記開口部及び前記開閉部の被覆を阻害する阻害部が形成されていることを特徴とする飲料容器。
【請求項２】
前記開口部の近傍には、飲み口部が形成され、前記蓋部が前記飲み口部を覆う構成となっていることを特徴とする請求項１に記載の飲料容器。
【請求項３】
前記阻害部は、少なくとも、前記開閉部の閉状態の位置における前記開閉部の一部の形状に対応した形状を有していることを特徴とする請求項１又は請求項２に記載の飲料容器。
【請求項４】
前記開状態における前記開閉部の移動位置を制御するための移動位置制御部が形成されていることを特徴とする請求項１乃至請求項３のいずれか１項に記載の飲料容器。
【発明の詳細な説明】
【技術分野】
【０００１】
本発明は、飲料を内部に収容し得る飲料容器に関するものである。
【背景技術】
【０００２】
従来、例えば、乳幼児等が飲料を飲む際に用いるカップ等の飲料容器は、特許文献１に示すような構成となっていた。
このようなカップは、乳幼児等が飲料を飲み易くするための飲み口部が形成され、この飲み口部の近傍には、カップ本体内に収容された飲料を排出するための開口が形成されている。このため、かかるカップを用いることで、乳幼児等は飲料を飲みやすくなっている。
ところで、このような開口部付きカップを持ち歩くために、その内容物である飲料が外部に漏れ出さないように、開口部を閉塞する閉塞部がカップに設けられていた。
【先行技術文献】
【特許文献】
【０００３】
特許文献１：特許第３９４２３０６号公報（図１等）
【発明の概要】
【発明が解決しようとする課題】
【０００４】
しかし、利用者等が、この閉塞部を確実に閉めることなく、蓋部を閉めて持ち運ぶと、カップ本体内の飲料が、開口部から漏れ出し、蓋部内に溜まり、ひいては蓋部外に漏れ出すという問題があった。
このため、従来は、閉塞部を設けながらも、飲料の漏れ出しを想定して、蓋部のシールを確実にする構成とする必要があり、製造コストが上昇してしまうという問題があった。
また、従来は、閉塞部を開状態にして飲料を開口部から排出する際に、飲料を適切に制御するのが困難であるという問題もあった。【０００５】
そこで、本発明は、製造コストを上昇させることなく、飲料の漏れ出しを確実に防止できると共に、飲料の流量の調整もすることができる飲料容器を提供することを目的とする。
【課題を解決するための手段】
【０００６】
前記目的は、本発明によれば、飲料を収容するための容器本体と、前記容器本体内の飲料を前記容器本体から排出させるための開口部と、前記開口部を開閉可能にするための開閉部と、少なくとも、前記開口部及び前記開閉部を覆うことができる蓋部と、を備え、前記開閉部は、前記開口部との相対位置を変化させて、前記開口部を閉状態乃至開状態にする構成となっており、前記蓋部には、前記開閉部が前記閉状態の位置に配置されているときに、前記開口部及び前記開閉部の被覆を阻害する阻害部が形成されていることを特徴とする飲料容器により達成される。【０００７】
前記構成によれば、蓋部には、阻害部が形成されているので、開閉部が閉状態の位置ではなく、開状態の位置に配置されているときは、蓋部を閉めることができない。
すなわち、開閉部が閉状態の位置に配置されている場合にのみ蓋部を閉めることができる構成となっているので、利用者が誤って開閉部を開状態の位置のまま蓋部を閉め、持ち運び、飲料が漏れ出すという事態の発生を未然に防ぐことができる。
また、開閉部は、開口部との相対位置を変化させ、開口部を閉状態乃至開状態にすることができるので、この開口部に対する相対位置を調整することができ、これにより、開口部の開口面積を調整できる。したがって、容器本体内の飲料の流量を適切に調整（制御）することができる。【０００８】
好ましくは、本発明に係る飲料容器の前記開口部の近傍には、飲み口部が形成され、前記蓋部が前記飲み口部を覆う構成となっていることを特徴とする。【０００９】
前記構成によれば、飲料容器には飲み口部が備わっているので、乳幼児等が飲料を飲み易い構成となっている。また、蓋部が飲み口部を覆うことができるので、利用者が飲料容器をバッグ等で持ち運ぶ際に、飲み口部が飲料容器から突出せず、利用者が扱い易い構成となっている。さらに、飲み口部が蓋部で覆われるので、衛生上も好ましい。【００１０】
好ましくは、本発明に係る飲料容器の前記阻害部は、少なくとも、前記開閉部の閉状態の位置における前記開閉部の一部の形状に対応した形状を有していることを特徴とする。【００１１】
前記構成によれば、阻害部を簡易な構成で蓋部に形成することができる。【００１２】
好ましくは、本発明に係る飲料容器の前記開状態における前記開閉部の移動位置を制御するための移動位置制御部が形成されていることを特徴とする。【００１３】
前記構成によれば、利用者は開閉部を操作する際、移動位置制御部でその位置を精度良く定めることができるので、飲料の排出量を精度良く制御できる。このため、乳幼児等が飲料を飲む際は、その乳幼児等の月齢等に合わせた排出量とすることができる。
【発明の効果】
【００１４】
本発明は、製造コストを上昇させることなく、飲料の漏れ出しを確実に防止できると共に、飲料の流量の調整もすることができる飲料容器を提供できるという利点がある。
【図面の簡単な説明】
【００１５】
【図１】本発明の第１の実施の形態であるトレーニングコップを示す概略図である。
【図２】図１の上蓋を外した状態における中蓋を示す概略図である。
【図３】図２の閉塞蓋を外した状態を示す概略図である。
【図４】図２の閉塞蓋が矢印Ｒに沿って図の左側に移動し、図３の飲料流出口を塞いだ状態を示す概略図である。
【図５】上蓋の内側の構成等を示す概略図である。
【図６】本発明の第２の実施の形態であるトレーニングコップの主な構成を示す概略図である。
【図７】図６の中蓋、パッキン及び閉塞蓋等の概略分解斜視図である。
【図８】閉塞蓋をパッキンと組合わせた場合の相互の関係を示す概略断面図である。
【図９】図６の中蓋等を覆うための上蓋を示す概略図である。
【図１０】本発明の第３の実施の形態であるトレーニングコップの主な構成を示す概略図である。
【図１１】図１０の傾斜部を示す概略展開図である。
【図１２】閉塞蓋と中蓋との相対位置等を示す概略断面説明図である。
【発明を実施するための形態】
【００１６】
以下、この発明の好適な実施の形態を添付図面等を参照しながら、詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１７】
（第１の実施の形態）
図１に示す、飲料容器である例えば、トレーニングコップ１は、乳幼児等が飲料を飲む練習等をするためのコップである。トレーニングコップ１は、図１に示すように、乳幼児等が飲む飲料を収容するための容器本体である例えば、コップ本体２を有すると共に、このコップ本体２の開口側（本実施の形態では、図１中上側）を覆うように配置される中蓋３を有している。
この中蓋３とコップ本体２の開口側とは、一方側に設けられている雄ねじと、他方側に設けられている雌ねじとを締める方向に移動させることで、中蓋３がコップ本体２に固定されると共に、これらのネジを緩める方向に移動させることで、中蓋３をコップ本体２から取り外すことが可能な構成となっている。
すなわち、トレーニングコップ１の利用者等は、コップ本体２の開口側から飲料をコップ本体２内に収容させた後に、ネジで固定することで、その開口側を中蓋３で確実に覆うことができる。
【００１８】
中蓋３には、図１に示すように，内部の飲料を飲む乳幼児等が、その手でつかみ、保持するためのハンドル３ａが、例えば、２つ両側に形成されている。この２つのハンドル３ａ，３ａは、それぞれ、乳幼児等がつかみ易いように、コップ本体２から離間する方向に突出するように、やや湾曲した形状となっている。
また、中蓋３には、図１に示すように、乳幼児等が口から飲料を口腔内に導き易くするための飲み口部３ｃが外方に突出するように形成されている。
【００１９】
図３に示すように、中蓋３には、図１のコップ本体２と連通している開口部である例えば、略円形の中蓋開口３ｂが飲み口部３ｃ寄りに偏移した位置に形成されている。
また、この中蓋３には、図３に示すように、中蓋開口３ｂの周縁にゴム製のパッキン５が取り付けられている。このパッキン５には、中蓋開口３ｂに対応して、パッキン開口５ｄが形成されている。
このパッキン開口５ｄの周囲には、図３の中蓋開口３ｂから立ち上がるように形成されている壁状のパッキン壁部５ｃが設けられると共に、その周囲の一部には、パッキン壁部５ｃを切り欠いて、図３に示すような飲料流出口５ｂが形成されている。この飲料流出口５ｂは、中蓋３の飲み口部３ｃに対応して形成されている。
このため、コップ本体２内の飲料は、図３の中蓋開口３ｂ、飲料流出口５ｂ及び飲み口部３ｃを介して、乳幼児等の口腔内に供給されることになる。
【００２０】
また、図３の中蓋開口３ｂ及びパッキン開口５ｄに対しては、図２に示すように、この中蓋開口３ｂ等を覆うような開閉部である例えば、閉塞蓋６が形成されている。
この閉塞蓋６には、その中蓋３側（図２の下側）に向かって壁状の閉塞蓋壁６ｂが突出するように形成されている。
この閉塞蓋壁６ｂは、図３のパッキン壁部５ｃと同様の円弧状を成し、パッキン壁部５ｃの内側に密着して、パッキン壁部５ｃに沿って、円弧状（図２の矢印Ｒの方向）に移動可能な構成となっている。
すなわち、閉塞蓋６は、中蓋開口３ｂを中心として、図２の矢印Ｒの方向に、円弧状に移動可能な構成となっている。
【００２１】
また、閉塞蓋６の上蓋４側（図２の上側）には、起立するように摘み部６ｃが形成されている。このため、利用者が摘み部６ｃを摘んで、図２の矢印Ｒの方向に動かすことで、閉塞蓋６を円弧状に移動させ易い構成となっている。
一方、閉塞蓋壁６ｂには、開口を形成するための切り欠かれた部分等である閉塞蓋開口６ａが形成されている。
このため、利用者等が閉塞蓋６を動かし、閉塞蓋６の閉塞蓋開口６ａの位置を、図３の飲料流出口５ｂに合わせることで、コップ本体２内の飲料が、この閉塞蓋開口６ａを介して、飲み口部３ｃ側に供給される構成となっている。
【００２２】
一方、図２の閉塞蓋開口６ａが、飲料流出口５ｂに対応した位置から矢印Ｒのいずれかの方向、例えば、図２において左側に移動し、この閉塞蓋開口６ａの全体が、図３の飲料流出口５ｂパッキン壁部５ｃの内側に移動した場合は、図３の飲料流出口５ｂは、図２の閉塞蓋壁６ｂで塞がれ、コップ本体２内の飲料は、漏れ出すことがない。
特に、パッキン壁部５ｃはゴムで形成されているため弾性があるので、パッキン壁部５ｃと閉塞蓋壁６ｂとは、密着し、飲料の漏出をより精度よく防ぐことができる。
【００２３】
閉塞蓋６が図４に示す閉状態である例えば、閉塞位置に配置されたとき、閉塞蓋６の一側部である閉塞蓋側部６ｄは、斜めに傾いた状態となる。
【００２４】
ところで、中蓋３の図１の上側には、中蓋３を覆うように蓋部である例えば、上蓋４が、中蓋３に対し開閉可能に形成されている。
また、図５に示すように、上蓋４の内側には、その内側から突出するように、阻害部である例えば、被覆阻害用突起４ｂが形成されている。
そして、図５の上蓋４を中蓋３の閉塞蓋６、飲料流出口５ｂ、中蓋開口３ｂ及び飲み口部３ｃ等を覆うように、中蓋３側に完全に配置、すなわち、閉めたときは、図５の被覆阻害用突起４ｂの閉塞蓋当接部４ｂａが、閉塞蓋６が図４の閉塞位置に配置された際の閉塞蓋側部６ｄの位置に沿って配置される構成となっている。
このように、本実施の形態では、閉塞蓋当接部４ｂａが、閉塞蓋側部６ｄの形状に対応した形状を有している。
【００２５】
したがって、本実施の形態では、閉塞蓋６を飲料流出口５ｂ、中蓋開口３ｂ等からの飲料の供給を阻害する閉塞位置に配置したときに限り、上蓋４が中蓋３に対して閉まる構成となっている。
さらに、上蓋４が中蓋３に対して完全に閉まると、上蓋４の閉塞蓋当接部４ｂａが閉塞蓋６の閉塞蓋側部６ｄに当接し、閉塞蓋６の図２の矢印Ｒの方向の移動を規制する。
このため、利用者等が、トレーニングコップ１の上蓋４を閉めて持ち運ぶ際に、閉塞蓋６が誤って移動し、開状態となり、コップ本体２内の飲料が上蓋４内に漏れ出すことを未然に防止することができる。
【００２６】
また、上蓋４が、中蓋３側に移動して閉まった状態となると、図１に示すように、上蓋４は、飲み口部３ｃまで覆うように配置される。このため、利用者等がトレーニングコップ１をバッグ等で持ち運ぶ際に、飲み口部３ｃがバッグ内等で突出することがなく、利用者にとって扱い易い構成となっていると共に衛生上好ましい状態で持ち運べることになる。
【００２７】
また、一方、閉塞蓋６の位置が、開状態の場合、すなわち、図４の位置ではないとき、上蓋４の被覆阻害用突起４ｂの閉塞蓋当接部４ｂａの位置と、閉塞蓋６の閉塞蓋側部６ｄの位置が図５と異なり一致しない。
すなわち、上蓋４を閉めようとすると、上蓋４の被覆阻害用突起４ｂが、閉塞蓋６上に乗り上げ、上蓋４が中蓋３に対して完全に閉まらないこととなる。
したがって、利用者は、閉塞蓋６が閉塞位置に正確に配置されていない場合、上蓋４が閉まらないことで、その事実を認識でき、閉塞蓋６を完全に閉めてから、上蓋４を閉め、バッグ等内に入れ、持ち運ぶことができる。
また、一旦、閉塞蓋６を閉塞位置に配置すると、上述のように、上蓋４の閉塞蓋当接部４ｂａが閉塞蓋６の閉塞蓋側部６ｄと当接し、閉塞蓋６の移動を規制するので、移動中に閉塞蓋６が移動し、飲料が漏れ出すことを未然に防ぐことができる。
【００２８】
ところで、パッキン５には、図３に示すように、通気孔５ａが形成され、上蓋４には、図５に示すように、通気孔閉塞用突起４ａが形成されている。
この通気孔閉塞用突起４ａは、上蓋４を図１に示すように閉めた場合、図３及び図４の通気孔５ａを塞ぐ構成となっている。
このように、本実施の形態では、上蓋４を閉めることで、中蓋３の中蓋開口３ｂ等を完全に閉塞状態にすると共に、パッキン５に形成されている通気孔５ａも完全に塞ぐ構成となっている。
また、通気孔５ａは、図４等に示すように、閉塞蓋６によって、その開口部分が覆われないように、中蓋３上の偏移した位置に配置されている。このため、閉塞蓋６の配置されている位置にかかわらず、上蓋４が開いている状態では、通気が確保され、利用者が飲み口部３ｃからコップ本体２内の飲料を飲み易い構成となっている。
さらに、通気孔５ａは、中蓋３の飲み口部３ｃに対して、飲料の排出動作中に通気を確保できるように、飲み口部３ｃから離間した位置に設けられている。
したがって、利用者がトレーニングコップ１をバッグ等に入れて移動しても、トレーニングコップ１の上蓋４内に飲料が漏れ出すことをより確実に防止することができる。
このため、従来のように、上蓋４と中蓋３が確実にシール等される構成とする必要はなく、製造コストの上昇を回避することができる。
【００２９】
また、図２及び図４で示すように、閉塞蓋６は矢印Ｒ方向に移動可能な構成となっており、閉塞蓋６の閉塞蓋開口６ａと図３のパッキン５の飲料流出口５ｂとの位置がほぼ完全に合致した場合に最大の開口が確保される構成となっている。
したがって、利用者等が図２の閉塞蓋６の移動量を調整し、図２の開閉蓋開口６ａと図３の飲料流出口５ｂとの重なり合いを変化させると、開閉蓋開口６ａと飲料流出口５ｂとで形成される実際に飲料が流出する開口面積を変化させることができる。
すなわち、この開口面積を大小させることで、飲料の流出量を調整することができ、利用者は、飲料の流出量を適切な量に調節することもできる構成となっている。
【００３０】
また、図３及び図４に示すように、中蓋３には、中蓋側突起部３ｆが形成されていると共に、上蓋４には、中間部材７が、図４に示すように、回動可能に取り付けられている。
さらに、中蓋側突起部３ｆは、中間部材７が回動可能に接続される構成となっている。
すなわち、中蓋側突起部３ｆは、中間部材７を介して、上蓋４と接続され、中蓋側突起部３ｆと中間部材７には、第１ヒンジ８が形成され、中間部材７と上蓋４とには、第２ヒンジ９が形成されている。
したがって、中蓋側突起部３ｆと上蓋４とは、２つのヒンジ（ダブルヒンジ）を介して接続される構成となっている。
【００３１】
このように構成されるため，本実施の形態では、利用者が上蓋４を開ける際に、第１ヒンジ８及び第２ヒンジ９が作用し、上蓋４が図４及び図５に示すように、コップ本体２の側面に沿うまで上蓋４を回動させることができる。
したがって、トレーニングコップ１を傾けて飲料を飲む場合に、上蓋４が利用者のおでこ等に接触することがなく、飲みやすい構成となる。
さらに、トレーニングコップ１を傾けて飲料を飲む場合に、利用者の視界を大きく遮ることがないので、特に乳幼児にとって違和感がなく、飲み易いトレーニングコップ１となる。
なお、中間部材７と中蓋側突起部３ｆ、中間部材７と上蓋４のそれぞれ対向する位置には、上蓋４をコップ本体２の側面に沿うまで回動させた位置で一時的に留まるように、図示しない凸部と凹部とが設けられている。
【００３２】
（第２の実施の形態）
本実施の形態に係るトレーニングコップ１０の構成は、上述の第１の実施の形態に係るトレーニングコップ１と共通する構成を有するため、共通する構成等については、同一符号等として説明を省略し、以下、第１の実施の形態との相違点等を中心に本実施の形態を説明する。
本実施の形態では、図示しないコップ本体２に対して、図６及び図７に示す中蓋１３が配置され、この中蓋１３は、上述の第１の実施の形態と同様に、ネジ等でコップ本体２に着脱可能となっている。
この中蓋１３は、図６及び図７に示すように、その両側にハンドル３ａを有すると共に、飲み口部３ｃを備え、コップ本体２内と連通する中蓋開口１３ｂが形成されている。
また、中蓋１３には、コップ本体２内と連通する中蓋側通気孔１３ｄも形成されている。
【００３３】
さらに、中蓋１３には、図７に示すようにゴム製のパッキン１５を配置するためパッキン用凹部１３ｅが形成され、このパッキン用凹部１３ｄにパッキン１５が配置される構成となっている。
また、パッキン１５には、中蓋１３の中蓋開口１３ｂに対応するパッキン開口１５ｄが形成されると共に、中蓋側通気孔１３ｄに対応するパッキン側通気孔１５ａが形成されている。
このため、コップ本体２は、これらパッキン開口１５ｄやパッキン側通気孔１５ａ等を介して外気と連通する構成となっている。
【００３４】
図７のパッキン１５のパッキン開口１５ｄには、この開口を取り囲むように略円筒形のパッキン壁部１５ｃが形成されるが、部分的に、このパッキン壁部１５ｃを切り欠いて、飲料流出口１５ｂが形成されている。
そして、パッキン１５が中蓋１３のパッキン用凹部１３ｅに配置されると、この飲料流出口１５ｂが図７の飲み口部３ｃの近傍に配置される構成となっている。
このため、コップ本体２内の飲料は、飲料流出口１５ｂ等を介して、飲み口部３ｃ側に供給される構成となっている。
【００３５】
また、パッキン１５に対しては、図７の閉塞蓋１６が装着される構成となっている。すなわち、図７に示すように、開閉蓋１６は、その図において上側（パッキン１５と対向しない側）に摘み部１６ｃを有する閉塞蓋上部１６ｅを有し、閉塞蓋上部１６ｅの図において下側（パッキン１５と対向する側）には略筒状の閉塞蓋壁１６ｂが形成されている。
そして、この閉塞蓋壁１６ｂの外周側が、パッキン１５のパッキン壁部１５ｃに沿うように、パッキン１５内に挿入されることで、閉塞蓋１６は、図６に示すように、パッキン１５に装着される構成となっている。
【００３６】
また、閉塞蓋壁１６ｂには、図７に示すように、閉塞蓋開口１６ａが形成されている。この閉塞蓋１６は、後述するように、図６の矢印Ｄ方向に移動可能な構成となっており、開閉蓋開口１６ａは、図７に示すように、閉塞蓋１６の移動方向に沿った側の辺が、それと直交する辺より長い長方形となっている。
そして、この閉塞蓋１６をパッキン１５内に挿入し、閉塞蓋１６を図６の矢印Ｄ方向に沿って移動させ、閉塞蓋１６の閉塞蓋開口１６ａの位置をパッキン１５の飲料流出口１５ｂに合わせることで、コップ本体２内の飲料が飲み口部３ｃ側に供給されることになる。
【００３７】
一方、閉塞蓋１６を矢印Ｄ方向に移動させ、閉塞蓋開口１６ａの位置が飲料流出口１５ｂと全く合致しない、すなわち、閉塞蓋開口１６ａが、パッキン１５のパッキン壁１５ｃ側に配置された場合は、飲料流出口１５ｂは、閉塞蓋１６の閉塞蓋壁１６ｂによって塞がれ、コップ本体２内の飲料が飲み口部３ｃ側に供給されない構成となる。
【００３８】
図８に示すように、閉塞蓋１６の閉塞蓋開口１６ａが、パッキン１５のパッキン流出口１５ｂと位置が合う場合は、図８の矢印Ｆに示すように、コップ本体２内の飲料が飲み口部３ｃ側へ供給されることになる。
一方、逆に、閉塞蓋開口１６ａとパッキン流出口１５ｂとの位置が全く合致せず、パッキン流出口１５ｂの開口が、閉塞蓋１６の閉塞蓋壁１６ｂで塞がれると、コップ本体２内の飲料は、閉塞蓋壁１６ｂで完全に阻止され、飲み口部３ｃ側へ漏れ出すことがない構成となっている。
【００３９】
また、図７に示すように、パッキン１５の飲料流出口１５ｂは、閉塞蓋開口１６ａと同様に、開閉蓋１６の矢印Ｄの方向に沿った側の辺が、それと直交する辺より長い長方形となっているため、開閉蓋１６の移動位置を調節することで、閉塞蓋開口１６ａと飲料流出口１５ｂによって形成される開口面積の大小を自在に調節することができる構成となっている。
したがって、利用者が閉塞蓋１６の矢印Ｄ方向の位置を調節することで、飲み口部３ｃへ供給される飲料の流量を精度良く調節することができる。
【００４０】
また、図７及び図８に示すように、閉塞蓋壁１６ｂの図において下方側（コップ本体２側）である、下方端には、係止用突起１６ｆが形成されている。係止用突起１６ｆが、図８に示すように、中蓋１３の一部に係止されることで、閉塞蓋１６は、中蓋１３に確実に固定される構成となっている。
【００４１】
図９に示すように、上蓋１４の内側には、上蓋１４の底面側から突出するように、所定の間隔を設け、並んで２本の上蓋内リブ１４ａ，１４ｂが形成されている。
また、これら２本の上蓋内リブ１４ａ，１４ｂには、それぞれ、図６及び図７の摘み部１６ｃをその内部に収容し、係止させることができる摘み係止用凹部１４ａａ，１４ｂａが形成されている。
これら摘み係止用凹部１４ａａ，１４ｂａは、それぞれ，摘み部１６ｃの幅より僅かに大きく形成されている。
そして、摘み部１６ｃが、これら２つの摘み係止用凹部１４ａａ，１４ｂａに収容される位置は、図６の破線で示した摘み部１６ｃの位置、すなわち、閉塞蓋１６の閉塞位置となっている。
【００４２】
すなわち、本実施の形態においても、第１の実施の形態と同様に、摘み部１６ｃを閉塞位置に配置しなければ、上蓋１４を閉めることができず、利用者等に閉塞蓋１６ｃが閉塞位置に配置されていないことを気づかせる構成となっている。
したがって、利用者等がトレーニングコップ１０をバッグ等に入れて移動しても、トレーニングコップ１０の上蓋１４内に飲料が漏れ出すことをより確実に防止することができる。このため、従来のように、上蓋１４と中蓋１３が確実にシール等される構成とする必要はなく、製造コストの上昇を回避することができる。
【００４３】
また、本実施の形態では、第１の実施の形態と同様に、図示しない通気孔閉塞用突起が、上蓋１４に形成されている。このため、上蓋１４を閉めることで、図６及び図７のパッキン側通気孔１５ａを塞ぐ構成となっている。
したがって、上蓋１４を閉めたときは、飲料の漏れ出しを確実に防止することができる。
【００４４】
（第３の実施の形態）
本実施の形態に係るトレーニングコップ２０の構成は、上述の第１の実施の形態に係るトレーニングコップ１や第２の実施の形態に係るトレーニングコップ１０と共通する構成を有するため、共通する構成等については、同一符号等として説明を省略し、以下、第１の実施の形態及び第２の実施の形態との相違点等を中心に本実施の形態を説明する。
本実施の形態に係るトレーニングコップ２０の閉塞蓋２６は、図１０に示すように傾斜部２６ａを有し、この傾斜部２６ａが、中蓋２３と当接する構成となっている。
【００４５】
本実施の形態では、図１１に示す傾斜部２６ａの図における下面側に中蓋２３の一部が当接する構成となっている。このため、利用者等が図１０及び図１１の矢印Ｄ１方向に閉塞蓋２６を移動させることで、閉塞蓋２６が押し上げられ、又は下降する構成となっている。
具体的には、図１０及び図１１の一方側端部（図１１の左側）が閉状態傾斜部２６ａｂで、他方側端部（図１１の右側）が開状態傾斜部２６ａａとなっている。
例えば、中蓋２３の一部と図１１の閉状態傾斜部２６ａｂが当接している場合は、利用者が閉塞蓋２６を矢印Ｄ１方向の一方側に沿って回すことで、中蓋２３の一部は、図１１の傾斜部１６ａを、開状態傾斜部２６ａａ側へ移動し、閉塞蓋２６を持ち上げる構成となっている。
【００４６】
上述のように、図１０及び図１１の閉状態傾斜部２６ａｂと開状態傾斜部２６ａａとの間を中蓋２３の一部が相対的に移動することで、閉塞蓋２６は持ち上げられ、又は下降するが、これは、図１２の矢印ｈ方向の移動となる。
すなわち、閉塞蓋２６が、下降（図１２の下方向）すると、閉塞蓋２６と中蓋２３とが接触し、図１２の飲料流路２７が閉塞状態となる。
一方、閉塞蓋２６が持ち上がる（上昇する）と、閉塞蓋２６と中蓋２３との接触が解除され、相互の間に間隔が形成され、図１２に示すように飲料流路２７が形成される。
この場合、図１２の矢印Ｆ１で示すように、コップ本体２内の飲料が図１０の飲み口部２３ｃへ供給されることになる。
このように、本実施の形態では、利用者等が閉塞蓋２６を矢印Ｄ１方向に移動する（回す）ことで、開閉蓋２６が上下に移動し、飲料流路２７が形成又は、閉塞される構成となっている。
【００４７】
また、本実施の形態では、図１０に示すように、中蓋２３には、移動位置制御部である例えば、流量調節部２３ｂが形成されている。
この流量調節部２３ｂは、揺動する歯車となっており、この歯車の歯が閉塞部２６の一部に当接する構成となっている。
また、この歯車は閉塞部２６が回動する際に、一定の移動量で部分的に他より強い抵抗が加わり、移動し難い状態を現出する構成となっており、この部分を通過すると再び、抵抗が弱くなる構成となっている。
このため、利用者等が閉塞部２６の摘み部２６ｃ等を操作して、閉塞部２６を矢印Ｄ１方向に沿って移動させるときは、歯車も共に回動し、一定量移動すると、強い抵抗が加わり、利用者等に閉塞蓋２６が一定量移動したことを知らせる構成となっている。
【００４８】
したがって、利用者等が、例えば、図１０及び図１１の閉状態傾斜部２６ａｂと開状態傾斜部２６ａａとの間で、閉塞蓋２６を移動させるときに、この歯車の抵抗が大きくなった部分で、一定量、閉塞蓋２６が上昇又は下降したことを感知することができる。したがって、利用者等は、コップ本体２内の飲料の飲み口部３ｃへ供給量を精度良く調整することができる。
特に、トレーニングコップ２０を使用する乳幼児等の月齢等によって与える飲料の量を規制することが必要な場合は、精度良く飲料の流量を規制することができる。
【００４９】
また、本実施の形態の図示しない上蓋は、中蓋２３の一部が、図１０等の閉状態側傾斜部２６ａｂに位置している場合、すなわち、閉塞蓋２６が最も下降している場合に限り、図示しない上蓋が閉まる構成となっている。
したがって、利用者等は、閉塞蓋２６が閉塞位置に配置されていない場合は、上蓋が閉まらないことで、閉塞状態でないことを知ることができ、利用者等がトレーニングコップ２０をバッグ等に入れて移動しても、トレーニングコップ２０の上蓋内に飲料が漏れ出すことをより確実に防止することができる。
【００５０】
また，本実施の形態において、第２の実施の形態と同様に上蓋内に摘み係止部等を形成し、摘み部２６ｃが、閉塞蓋２６の閉状態に位置した場合のみ、上蓋が閉まるように形成してもよい。
なお、第３の実施の形態において示した飲料の流量を段階的に調整するための流量調節部２３ｂを、第１及び第２の実施の形態に適用してもよいことは勿論である。
【符号の説明】
【００５１】
１，１０，２０・・・トレーニングコップ、２・・・コップ本体、３，１３，２３・・・中蓋、３ａ・・・ハンドル、３ｂ，１３ｂ・・・中蓋開口、３ｃ・・・飲み口部、３ｆ・・・中蓋側突起部、４，１４・・・上蓋、４ａ・・・通気孔閉塞用突起、４ｂ・・・被覆阻害用突起、４ｂａ・・・閉塞蓋当接部、５，１５・・・パッキン、５ａ・・・通気孔、５ｂ，１５ｂ・・・飲料流出口、５ｃ，１５ｃ・・・パッキン壁部、６，１６，２６・・・閉塞蓋、６ａ，１６ａ・・・閉塞蓋開口、６ｂ，１６ｂ・・・閉塞蓋壁、６ｃ，１６ｃ，２６ｃ・・・摘み部、６ｄ・・・閉塞蓋側部、８・・・第１ヒンジ、９・・・第２ヒンジ、１３ｄ・・・中蓋側通気孔、１３ｅ・・・パッキン用凹部、１４ａ，１４ｂ・・・上蓋内リブ、１４ａａ，１４ｂａ・・・摘み係止用凹部、１５ａ・・・パッキン側通気孔、１６ｅ・・・閉塞蓋上部、１６ｆ・・・係止用突起、２３ｂ・・・流量調節部、２６ａ・・・傾斜部、２６ａａ・・・開状態側傾斜部、２６ａｂ・・・閉状態側傾斜部、２７・・・飲料流路
【図１】
2012164614.tif 000003
【図２】
2012164614.tif 000004
【図３】
2012164614.tif 000005
【図４】
2012164614.tif 000006
【図５】
2012164614.tif 000007
【図６】
2012164614.tif 000008
【図７】
2012164614.tif 000009
【図８】
2012164614.tif 000010
【図９】
2012164614.tif 000011
【図１０】
2012164614.tif 000012
【図１１】
2012164614.tif 000013
【図１２】
2012164614.tif 000014
【国際調査報告】
2012164614.tif 000015
2012164614.tif 000016
2012164614.tif 000017
2012164614.tif 000018